(57)【要約】【課題】      用紙搬送システムを構成する装置間において、データの通信を効率的に行なうこと。【解決手段】    複数の装置間で用紙搬送を行なう用紙搬送システムにおけるデータ処理方法は、送信元の装置から受信したパケットデータに自装置用のパケットデータが含まれているかを識別する。識別結果に基づいて、受信したパケットデータを再構性し、再構成されたパケットデータを、送信先の装置に送信する。【選択図】  図１１
2007318693.tif 000002
【特許請求の範囲】
【請求項１】
複数の装置間で用紙搬送を行なう用紙搬送システムにおけるデータ処理方法であって、
送信元の装置から受信したパケットデータに自装置用のパケットデータが含まれているかを識別する識別工程と、
前記識別工程の識別結果に基づいて、前記受信したパケットデータを再構性する再構成工程と、
前記再構成工程により再構成された前記パケットデータを、送信先の装置に送信する送信工程と
を備えることを特徴とするデータ処理方法。
【請求項２】
前記識別工程は、前記受信したパケットデータに含まれる識別データの照合に基づいて、前記受信したパケットデータに前記自装置用のパケットデータが含まれているか識別することを特徴とする請求項１に記載のデータ処理方法。
【請求項３】
前記識別工程の識別結果に基づき前記受信したパケットデータ中に前記自装置用のパケットデータが含まれている場合、前記再構成工程は、前記自装置用のパケットデータを前記受信したパケットデータから削除してデータサイズを縮小したパケットデータを再構成することを特徴とする請求項１または２に記載のデータ処理方法。
【請求項４】
前記送信先の装置に送信するデータを自装置で生成した場合、前記再構成工程は、前記受信したパケットデータまたは前記データサイズを縮小したパケットデータに、前記生成したデータを追加して、データサイズを拡張したパケットデータを再構成することを特徴とする請求項１乃至３のいずれか１項に記載のデータ処理方法。
【請求項５】
複数の装置間で用紙搬送を行なう用紙搬送システムであって、
送信元の装置から受信したパケットデータに自装置用のパケットデータが含まれているかを識別する識別手段と、
前記識別手段の識別結果に基づいて、前記受信したパケットデータを再構性する再構成手段と、
前記再構成手段により再構成された前記パケットデータを、送信先の装置に送信する送信手段と
を備えることを特徴とする用紙搬送システム。
【請求項６】
前記識別手段は、前記受信したパケットデータに含まれる識別データの照合に基づいて、前記受信したパケットデータに前記自装置用のパケットデータが含まれているか識別することを特徴とする請求項５に記載の用紙搬送システム。
【請求項７】
前記識別手段の識別結果に基づき前記受信したパケットデータ中に前記自装置用のパケットデータが含まれている場合、前記再構成手段は、前記自装置用のパケットデータを前記受信したパケットデータから削除してデータサイズを縮小したパケットデータを再構成することを特徴とする請求項５または６に記載の用紙搬送システム。
【請求項８】
前記送信先の装置に送信するデータを自装置で生成した場合、前記再構成手段は、前記受信したパケットデータまたは前記データサイズを縮小したパケットデータに、前記生成したデータを追加して、データサイズを拡張したパケットデータを再構成することを特徴とする請求項５乃至７のいずれか１項に記載の用紙搬送システム。
【請求項９】
請求項１乃至４のいずれかに記載のデータ処理方法をコンピュータに実行させることを特徴とするプログラム。
【請求項１０】
請求項９に記載のプログラムを格納したことを特徴とするコンピュータ可読の記憶媒体。
【発明の詳細な説明】
【技術分野】
【０００１】
本発明は、複数の装置間で用紙を搬送する用紙搬送システム及び用紙搬送システムにおけるデータ処理方法等に関するものである。
【背景技術】
【０００２】
従来から、複数の装置間で用紙を搬送するシステムやその方法が知られている。このような用紙搬送システムにおいては、装置間でデータ通信しながら用紙の搬送を制御するのが一般的である。
【０００３】
この中で、用紙の給紙間隔を調整するための時間データを各装置に転送し、各装置の処理時間を考慮してデータ編集をした後に、次の装置に転送しているものが提案されている（例えば特許文献１）。
【特許文献１】特開２０００-１０９２６４号公報
【発明の開示】
【発明が解決しようとする課題】
【０００４】
しかしながら、この様なデータ転送においては、データの送信元から転送されるデータサイズは一定であるため、転送元から送信されるデータサイズが大きい場合には、最終転送先までのデータ転送に時間がかかり、リアルタイム性が損なわれる。このため、高速性が求められるシステムでは使用できなかったり、特別なハードウエア回路が必要とされている。
【課題を解決するための手段】
【０００５】
本発明は、上記従来技術の課題を解決するためになされたもので、用紙搬送システムを構成する装置間において、データの通信を効率的に行なうことを目的とする。
【０００６】
上記目的を達成するために、本発明に係るデータ処理方法は、複数の装置間で用紙搬送を行なう用紙搬送システムにおけるデータ処理方法であって、
送信元の装置から受信したパケットデータに自装置用のパケットデータが含まれているかを識別する識別工程と、
前記識別工程の識別結果に基づいて、前記受信したパケットデータを再構性する再構成工程と、
前記再構成工程により再構成された前記パケットデータを、送信先の装置に送信する送信工程とを備えることを特徴とする。
【０００７】
あるいは、上記目的を達成するために、本発明に係る複数の装置間で用紙搬送を行なう用紙搬送システムは、
送信元の装置から受信したパケットデータに自装置用のパケットデータが含まれているかを識別する識別手段と、
前記識別手段の識別結果に基づいて、前記受信したパケットデータを再構性する再構成手段と、
前記再構成手段により再構成された前記パケットデータを、送信先の装置に送信する送信手段とを備えることを特徴とする。
【発明の効果】
【０００８】
本発明によれば、用紙搬送システムを構成する装置間において、データの通信を効率的に行なうことが可能になる。
【発明を実施するための最良の形態】
【０００９】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１０】
（第１実施形態）
本発明の第１実施形態に係る用紙搬送システムについて説明する。画像読取装置を装置本体に備えた画像形成装置である複写機とを図に基づいて説明する。
【００１１】
図１はリーダ部１５０と原稿処理装置（ＡＤＦ）２とを含む画像読取装置の構成を示す図である。一方、図２は、図１に示す画像読取装置を一部に備えた画像形成装置としての複写機を示す図である。
【００１２】
〔リーダ部〕
リーダ部１５０は、原稿面に対して光を照射するランプ１５２、ランプ１５２にて照射された光に対応する原稿Ｐからの反射光を、レンズ１５７、およびＣＣＤ１５８に導くミラー１５３、１５５、１５６を有している。ランプ１５２とミラー１５３は、第１光学台１５９に取り付けられ、ミラー１５５、１５６は、第２光学台１５１に取り付けられている。
【００１３】
原稿からの反射光は、ミラー１５３、１５５、１５６を介してレンズ１５７に導かれ、レンズ１５７によってＣＣＤ１５８上に集光される。ＣＣＤ１５８は、原稿情報を反映した上記反射光を光電変換し、電子的な画像信号として出力する。
【００１４】
このような構成下で、第１光学台１５９を原稿読取位置１６０に停止させた状態で、ＡＤＦ２により原稿を搬送させながら原稿情報を読み取ることが可能である（流し読みモード）。また、原稿を原稿台ガラス３上に固定的に載置して、光学台１５９、１５１を副走査方向に移動させながら原稿情報を読み取ることが可能である（原稿台ガラス読み取りモード）。すなわち、２つのモードで原稿情報を読み取ることができる。
【００１５】
〔原稿処理装置〕
原稿処理装置２は、リーダ部１５０の上方にヒンジ機構を介してプラテンガラス１６１、原稿台ガラス３に対して開閉可能に設けられている。以下、原稿処理装置２の詳細を説明する。
【００１６】
図１において、原稿トレイ４は、シート状の原稿Ｐを積載するためのものである。原稿トレイ４には一対の幅方向規制板が原稿の幅方向にスライド自在に配置されている。幅方向規制板によって原稿トレイ４に積載される原稿Ｐの幅方向を規制することで給送時の搬送安定性を確保できる。
【００１７】
原稿トレイ４の上方には、給紙ローラ５が設けられている。給紙ローラ５は分離搬送ローラ８の回転駆動に連れて回転し、シート原稿を給紙する。給紙ローラ５は通常、ホームポジションである上方（図中点線位置）に待避している位置をとり、原稿セット作業を阻害しないようにしている。給紙動作が開始されると図中実線位置に下降して原稿Ｐの上面に当接する。給紙ローラ５は図示しないアームにて軸支されるので、アームを揺動して給紙ローラ５を上下に動かせる。
【００１８】
分離パッド６は分離搬送ローラ８の対向側に配置され、分離搬送ローラ８側に圧を加えている。分離パッド６は分離搬送ローラ８より摩擦が若干小さいゴム材料などで形成され、給紙ローラ５にて給紙される原稿Ｐを一枚毎にさばき、分離搬送ローラ８で給紙する。
【００１９】
レジストローラ１２、レジスト従動ローラ１１は分離部にて給紙された原稿の先端をそろえるレジスト手段であり、静止したレジストローラ対１１、１２のニップ部に向けて分離した原稿先端を突き当て、原稿にループを生じさせて先端をそろえている。
【００２０】
次にリードローラ２２、リード従動ローラ１４によりプラテンガラス１６１に向けて搬送する。先端がリードローラ２２に到達してプラテンガラス１６１に向けて搬送されると、プラテンローラ２４及びリード排出ローラ２３にて搬送しながら、読み取りユニット１６０で画像読みが行われる。プラテンガラス１６１に搬送され、画像読取が終了した原稿は、ジャンプ台１６２によりすくい上げられ、リード排出ローラ２３、リード排出従動ローラ１６により搬送される。画像読み取りが終了すると、排紙ローラ１８により原稿を排紙トレイ１０に排出する。
【００２１】
両面モード時には、排紙ローラ１８にて排出せずスイッチバックして、上方の紙パスに案内してレジストローラ１１、１２に向けて搬送する。レジストローラ１１、１２に到達すると上記と同様に原稿の裏面の読み取りが行われる。
【００２２】
原稿トレイ４にはシート原稿Ｐがセットされたことを検出する透過型の光センサである原稿セット検知センサ４０が設けられている。また、サイドガイドの位置を検出する事により原稿トレイ４上にセットされた原稿束Ｐの幅方向の長さを検知する紙幅検知センサ４４が原稿トレイ４の下部に設けられている。
【００２３】
分離ローラ８とレジストローラ１２の間には原稿を検知する透過型の光センサであるレジストセンサ７が設けられ、分離給送された原稿の先端を検知し、レジストローラ１２への突き当て量（ループ量）を制御するタイミングなどを検知している。
【００２４】
リードローラ２２の直後に原稿を検知する反射型光センサであるリードセンサ１３が設けれ、読み取り部１６０での画像読み取り開始タイミングの基準信号としている。排紙ローラ１８の直前には原稿を検知する透過型光センサである排紙センサ１７が設けられ、原稿の排紙タイミングなどを検知している。
【００２５】
図３は、リーダ部の制御系の概略構成を示すブロック図である。リーダ部の制御系は、原稿面に光を照射するランプ１５２、光学台１５９、１５１を副走査方向に移動し原稿を走査するモータ３１４、原稿面からの反射光を光電変換するＣＣＤ１５８、ＣＣＤ１５８の出力信号をＡ／Ｄ変換するＡ／Ｄ変換回路３０１を有する。また、リーダ部の制御系は、モータ３１４に接続されたエンコーダ３０２、原稿に光を照射するためのランプ１５２、光学台１５９をホームポジションに位置決めするためのポジションセンサ３１５を有する。また、リーダ部の制御系は、ＡＤＦ原稿読取モードにおける正規の原稿読取位置を設定するためのバックアップＲＡＭ３０３、およびスキャナコントローラ３０４を有している。スキャナコントローラ３０４内にはＣＰＵ５４とＲＯＭ３０４ａをもっており、光学台１５９の位置決め動作を行なう処理はここでＲＯＭ３０４ａ内の情報に従って、ＣＰＵ５４が実行する。
【００２６】
また、光学台１５９、１５１は、図示しないワイヤ１５４によって、モータ３１４と結合され、モータ３１４の回転駆動により原稿台ガラス３と平行に移動制御される。ポジションセンサ３１５は、第１光学台１５９のホームポジション位置を検知するためのセンサである。ポジションセンサ３１５の位置を基準としてモータ３１４を正転、逆転することにより、光学台１５９、１５１を移動し、原稿台ガラス３上の原稿を光学的に走査する。
【００２７】
また、モータ３１４は、ステッピングモータにより構成されている。このモータ３１４には、エンコーダ３０２が接続されており、このエンコーダ３０２の出力により、光学台１５９、１５１が何パルス分移動したかを認識できるようになっている。すなわち、ポジションセンサ３１５とエンコーダ３０２からのエンコーダーパルスにより、光学台１５９、１５１の位置を把握することが可能である。
【００２８】
図４は、原稿処理装置の制御系の回路構成を示すブロック図である。制御回路はマイクロプロセッサ（ＣＰＵ）５４を中心に構成されており、ＣＰＵ５４の入出力ポートには、各種負荷のドライブ回路およびセンサ信号が接続される。
【００２９】
また、制御回路は不図示の電池によりバックアップされるＲＡＭと、制御シーケンスソフトの格納されたＲＯＭを備えている。また、５５は、複写機本体とのデータ通信を制御するための通信用ＩＣである。
【００３０】
分離モータ５０とリードモータ５１は各ステッピングモータドライバによって駆動される。各ドライバには、ＣＰＵ５４から相励磁信号と、モータ電流制御信号が入力されている。離間ソレノイド５７はドライバによって駆動され、ＣＰＵ５４の入出力ポートに接続された信号によって、その動作を制御されるものである。
【００３１】
レジセンサ７、セットセンサ４０、リードセンサ１３、排紙センサ１７、トレイ幅センサ４４等の各種センサは、ＣＰＵ５４の入力ポートに接続されて、装置内における、原稿の挙動をおよび、可動負荷の挙動をモニターするために用いられる。
【００３２】
図５を用いて、各ローラなどを駆動するための駆動系の説明をする。分離モータ５０はステッピングモータであり、正逆転により原稿の分離・搬送を行なう。分離モータ５０が給紙方向に回転したときには、給紙ローラ５がホームポジションである上方（図中破線位置）から降下し、原稿トレイ４上のシート原稿の最上紙に圧接させると共に、給紙ローラ５と分離ローラ８を駆動する。
【００３３】
分離モータ５０が給紙方向とは逆転方向である搬送方向に回転したときには、給紙ローラ５をホーム位置である上方（図中破線位置）に持上げ保持すると共に、レジローラ１２を駆動する。リードモータ５１はリードローラ２２、プラテンローラ２４、リード排出ローラ２３、排紙ローラ１８を駆動するステッピングモータである。搬送される原稿の画像を読み取る速度で各ローラを駆動する。離間ソレノイド５７は両面原稿スイッチバック時に、排紙ローラ１８の従動コロを圧着・離間させる。
【００３４】
図６は、図１に示したリーダ部１５０に配設される操作パネルの一例を示す図である。図において、６１１は表示部であり、動作状況・メッセージを表示する。また、表示部６１１の表面はタッチパネルになっていて、表面を触れることによって選択キーとして機能し、倍率設定等はここで行なう。６１２はテンキーであり、数字を入力するキーであり、ここで１枚の原稿に対してのコピーする枚数を設定する。６１３はスタートキーであり、このキーを押下することにより原稿読み込み動作を開始する。
【００３５】
また、６１４は、ファンクションキーであり、コピー動作、ＢＯＸ動作、拡張機能の切りかえがワンタッチで行なうことが可能になっている。ＢＯＸ動作とは、本体内に用意されたハードディスク（不図示）にスキャンした画像を蓄積する処理である。
【００３６】
〔プリンタ部〕
図２はプリンタ部３００の構成を示す図である。１００は上段カセットで、カセット内のシートは分離爪と給送ローラ１０１の作用によって１枚ずつ分離給送されてレジストローラ１０６に導かれる。１０２は下段カセットで、カセット内のシートは分離爪と給送ローラ１０３の作用によって１枚ずつ分離給送されてレジストローラ１０６に導かれる。尚、上段カセット１００や、下段カセット１０２に代わって、給紙ユニット（＝デッキ）を装着する場合もある。尚、本構成は、エンジンのみの構成の場合であり、連結してデッキを接続することも可能となっている。
【００３７】
１０４は、手差しガイドで、１枚ずつシート材がローラ１０５を介してレジストローラ１０６に導かれる。１０８はシート積載装置（デッキタイプ）で、モータ等により昇降する中板１０８ａを備え、中板上のシートは、給送ローラ１０９と分離爪の作用により１枚ずつ分離給送されて搬送ローラ１１０に導かれる。
【００３８】
１１２は感光ドラム、１１４は現像器、１１５は転写帯電器、１１６は分離帯電器であり、画像形成部を構成する。１１７は画像形成されたシート材を搬送する搬送ベルト、１１８は定着装置、１１９は搬送ローラ、１２０はダイバータである。画像形成されたシート材はダイバータ１２０によって排出ローラ１２１に導かれ、ソータ１２２内に搬送される。ソータ１２２は、ノンソートトレイ１２２ａ、ソートビントレイ１２２ｂ、ノンソートトレイ排出ローラ１２２ｃ、ソートビントレイ排出ローラ１２２ｄを有し、ノンソートトレイとソートビントレイが昇降してシートを一段づつ区分けする。尚、ソータに代わって、排出トレイを装着する場合もある。尚、本構成は、エンジンとソータのみの構成の場合であり、連結してインサータ−、スタッカ−、フィニッシャーを接続することも可能となっている。
【００３９】
両面複写、多重複写の場合には、定着後のシートはダイバータ１２０により分岐されて搬送ローラ２０１により搬送され、両面複写の場合ベルト２０２、２０４、パス２０６、排出ローラ２０５を経て中間トレイ２００に排出される。多重複写の場合には、シートはダイバータ２０３により中間トレイ２００に排出される。２０９、２１０はシートを給送する半月ローラ、２１１は分離ローラ対、２１３、２１４、２１５はシートをレジストローラ１０６へ搬送する搬送ローラである。
【００４０】
図７は、用紙搬送システムが複数の装置を含むことを示す図であり、システム構成内の各装置間（ノード：ＡＣＣ）でやりとりされるコマンドを、それぞれ矢印７０１、矢印７０２、矢印７０３で示している。矢印７０１は、隣接装置間でやりとりされる隣接間コマンドであり、用紙の搬送に同期したものとなっていることから、コマンドレスポンスは速さを要求される特性をもっている。また、矢印７０２は、エンジンと各装置（ノード）間との間でやりとりされるエンジン間コマンドであり、用紙搬送とはあまり同期しないものであることから、コマンドレスポンスの速さは、あまり重視されていない。更に矢印７０３は、エンジンをスタートして目的の装置（ノード：ＡＣＣ）まで、途中の装置（ノード：ＡＣＣ）を経由して伝達される転送系コマンドであり、用紙の間隔制御に用いられることから、コマンドレスポンスの速さが要求される特性をもっている。尚、実際の用紙搬送は、矢印７０４の方向に行われる。
【００４１】
図８は、エンジン（ＩＤ＝０）から送出される転送系コマンドが、各装置（ＡＣＣ１１〜１３）を経由して転送されていく際のデータパケットサイズの変化を例示的に示す図である。エンジン（ノードＩＤ＝０）から送出されるデータ８１０には、共通データと、各装置に対する専用データ（データ１、データ２、データ３）が含まれている。エンジン（ＩＤ＝０）から装置（ＡＣＣ１１：ノードＩＤ＝１）にデータが転送される段階では（８０１）、データ８１０のパケットサイズに変りは無い。
【００４２】
図中のデータ３は、装置（ＡＣＣ１１：ＩＤ＝１）にのみ関連するデータである。このため、下流側に接続する装置（ＡＣＣ１２：ＩＤ＝２）以降にデータ３を伝達する必要がないため、装置（ＡＣＣ１２：ＩＤ２）への転送の際（８０２）に、装置（ＡＣＣ１１：ＩＤ＝１）は、自装置専用データを転送系コマンドから削除する。そのため、装置（ＡＣＣ１１：ＩＤ＝１）から装置（ＡＣＣ１２：ＩＤ＝２）に転送されるデータ８２０のパケットサイズは、データ８１０に対して縮小される。
【００４３】
同様に、装置（ＡＣＣ１２：ＩＤ＝２）は、自装置の専用データ（データ２）を転送系コマンドから削除し、装置（ＡＣＣ１３：ＩＤ＝３）に転送系コマンドを転送する（８０３）。この際、転送系コマンドに含まれるデータは、共通データと、装置（ＡＣＣ１３：ＩＤ＝３）の専用データ１が含まれている。
【００４４】
図９は、エンジン（ＩＤ＝０）から送出される転送系コマンドが、各装置（ＡＣＣ１１〜１３）を経由して転送されていく際のデータパケットサイズの変化を例示的に示す図である。図９の場合、装置（ＡＣＣ１１：ＩＤ＝１）の処理により、下流側の装置（ＡＣＣ１２：ＩＤ＝２）に対する専用データ（データ４）が転送用コマンドに追加されている点が図８と相違する。
【００４５】
図１０は、各装置の専用データのパケット構造を示す図であり、装置（ＡＣＣ１１：ＩＤ＝１）の専用データ（１０１０）を例としている。専用データ（１０１０）のパケットには送信先ノードＩＤ（１０２０）が格納されている。例えば、装置（ＡＣＣ１１）が送信先の場合、送信先ノードＩＤとして「ＩＤ＝１」が格納される。各装置は、受信したデータ中に自装置（ノード）専用データが存在するか否かを、送信先ノードＩＤ（１０２０）と自装置のＩＤとを照合することにより判定することが可能である。
送信先ノードID（１０２０）の次には、自ノード専用データのデータサイズ（１０２１）が格納されている。データサイズ（１０２１）に基づいて、自装置（ノード）のデータの範囲（例えば、パケットの最後尾データからＸバイト）を特定することが可能である。
【００４６】
また、各装置は、自装置に転送されてきたデータに基づいて、自装置よりも下流側に接続する装置を送信先とするデータを生成した場合、転送コマンド中に、新たに生成したデータを追加する。その際、追加される専用データのパケット構造図１０に示したものと同様に、送信先となる装置のノードＩＤと、データサイズ及びデータとからなるデータ構造を有するものとなる。
【００４７】
図１１は、複数の装置間で用紙搬送を行なう用紙搬送システムにおけるデータ処理方法の流れを説明するフローチャートである。この処理は、用紙搬送システムを構成する各装置のＣＰＵ５４の制御の下に実行される。
【００４８】
まず、ステップＳ１１０１において、ＣＰＵ５４は受信データがあるかを確認し、受信データが存在する場合（Ｓ１１０１−Ｙｅｓ）、ステップＳ１１０２に処理は進められる。
【００４９】
ステップＳ１１０２において、ＣＰＵ５４は受信データを内部メモリに格納する。また、次装置（ノード）に転送するため送信データ作成用バッファに受信データを格納する。このとき、受信データの総バイト数（Ｘ）を算出しておく。
【００５０】
ステップＳ１１０３において、ＣＰＵ５４は送信データ作成用バッファ内のデータの最後尾に格納されている送信先ＩＤデータを確認し、送信先ＩＤデータが自装置（ノード）ＩＤと一致するか照合する。送信先ＩＤデータが自装置（ノード）ＩＤと一致する場合（Ｓ１１０３−Ｙｅｓ）、処理はステップＳ１１０６に進められる。Ｓ１１０６において、データを受信した装置のＣＰＵ５４は、指定されているデータサイズ（例えば、Ｙバイト）に相当するデータを送信用データ作成用バッファに格納されているデータ（Ｘバイト）から削除して、処理をステップＳ１１０３に戻す。
【００５１】
ＣＰＵ５４は、自装置用のパケットデータ（Ｙバイト）を受信したパケットデータ（Ｘバイト）から削除してデータサイズを縮小したパケットデータを再構成する。
【００５２】
ステップＳ１１０３の判定において、送信先ＩＤデータが自装置（ノード）ＩＤと一致しない場合（Ｓ１１０３−Ｎｏ）、処理はステップＳ１１０４に進められる。自装置を送信先とする送信先ノードＩＤ（１０２０）も削除されるので、データサイズの縮小によりパケットデータが再構成された場合、処理はステップＳ１１０４に進められる。
【００５３】
ステップＳ１１０４において、ＣＰＵ５４は自装置よりも下流側に接続する次の装置（ノード）に転送する転送用データが有るか判定する。転送用データが有る場合（Ｓ１１０４−Ｙｅｓ）、処理はステップＳ１１０７に進められる。例えば、後続の装置に送信するデータを自装置で生成した場合、ＣＰＵ５４は、転送用データが有ると判定する。あるいは、受信したパケットデータまたは再構成されたパケットデータに自装置以外の装置が送信先になっているパケットデータが含まれている場合、ＣＰＵ５４は、転送用データが有ると判定する。
【００５４】
ステップＳ１１０７において、自装置のＣＰＵ５４は、送信データ作成用バッファ内のデータサイズ（Ｘバイト）に、転送用データ（データサイズをＺバイトとする）を、データの最後尾に追加する。ＣＰＵ５４は、受信したパケットデータ（Ｘバイト）またはデータサイズを縮小したパケットデータ（Ｘ＝Ｘ−Ｙバイト）に、生成したデータを追加して（Ｘ＝Ｘ＋Ｚ）、データサイズを拡張したパケットデータを再構成する。
【００５５】
そして、ステップＳ１１０５において、ＣＰＵ５４は、送信データ作成用バッファのパケットデータを次の装置（ノード）に送信する。ＣＰＵ５４は、送信データ作成用バッファ内のパケットデータが再構成された場合、再構成されたパケットデータを送信先の装置に送信する。
【００５６】
そして、処理をステップＳ１１０１に戻し、再びのデータの受信を待つ状態で待機する。
【００５７】
本発明の実施形態によれば、自装置は、送信元から転送されるパケットデータから自装置が送信先となるデータを削除して、データサイズを縮小したパケットデータを再構成する。あるいは、後続の装置に送信するデータを自装置が生成した場合、自装置は、受信したパケットデータまたはデータサイズを縮小したパケットデータに、生成したデータを追加して、データサイズを拡張したパケットデータを再構成する。そして、自装置から見て後続の装置が送信先となるデータをパケットデータとして転送する。このデータ処理方法によれば、不要なデータが後続の装置に送信されることがないので、用紙搬送システムを構成する装置間において、データの通信を効率的に行なうことが可能になる。
【００５８】
（他の実施形態）
なお、本発明の目的は、前述した実施形態の機能を実現するソフトウェアのプログラムコードを記録した記憶媒体を、システムあるいは装置に供給することによっても、達成されることは言うまでもない。また、システムあるいは装置のコンピュータ（またはＣＰＵやＭＰＵ）が記憶媒体に格納されたプログラムコードを読出し実行することによっても、達成されることは言うまでもない。
【００５９】
この場合、記憶媒体から読出されたプログラムコード自体が前述した実施形態の機能を実現することになり、そのプログラムコードを記憶した記憶媒体は本発明を構成することになる。
【００６０】
プログラムコードを供給するための記憶媒体としては、例えば、フレキシブルディスク、ハードディスク、光ディスク、光磁気ディスク、ＣＤ−ＲＯＭ、ＣＤ−Ｒ、不揮発性のメモリカード，ＲＯＭなどを用いることができる。
【００６１】
また、コンピュータが読出したプログラムコードを実行することにより、前述した実施形態の機能が実現される。また、プログラムコードの指示に基づき、コンピュータ上で稼働しているＯＳ（オペレーティングシステム）などが実際の処理の一部または全部を行い、その処理によって前述した実施形態が実現される場合も含まれることは言うまでもない。
【図面の簡単な説明】
【００６２】
【図１】画像読取装置と本実施形態に係る原稿処理装置の構成を説明する図である。
【図２】本実施形態に係る画像形成装置の構成を説明する図である。
【図３】本実施形態に係る読み取り装置の制御ブロック図である。
【図４】本実施形態に係る原稿処理装置の制御ブロック図である。
【図５】本実施形態に係る原稿処理装置の駆動系を説明する図である。
【図６】本実施形態に係る操作部を示す図である。
【図７】本実施形態に係る用紙搬送システムが複数の装置を含むことを示す図である。
【図８】受信したパケットデータサイズを縮小してパケットデータを再構成する処理を説明する図である。
【図９】受信したパケットデータサイズを拡張してパケットデータを再構成する処理を説明する図である。
【図１０】各装置の専用データのパケット構造を示す図である。
【図１１】受信したパケットデータを再構成する処理の流れを示すフローチャートである。
【符号の説明】
【００６３】
５４      ＣＰＵ
１５２    ランプ
１５８    ＣＣＤ
３０１    Ａ／Ｄ変換回路
３０２    エンコーダ  
３０３    バックアップＲＡＭ  
３０４    スキャナコントローラ
３０４ａ  ＲＯＭ
３１４    モータ
３１５    ポジションセンサー
【図１】
2007318693.tif 000003
【図２】
2007318693.tif 000004
【図３】
2007318693.tif 000005
【図４】
2007318693.tif 000006
【図５】
2007318693.tif 000007
【図６】
2007318693.tif 000008
【図７】
2007318693.tif 000009
【図８】
2007318693.tif 000010
【図９】
2007318693.tif 000011
【図１０】
2007318693.tif 000012
【図１１】
2007318693.tif 000013